(57)【要約】      （修正有）【課題】靴上部を介した換気に加え、通常は気密性の靴の内側部材を介した通気を備える履物を提供する。【解決手段】ソールは次のように配置される：衝撃をよく吸収する剛性のゴムおよび／またはポリマーで作られ地面と接触するアウトソール１、ミッドソール２、２つの層で形成され、取り外し可能に成型されかつ衝撃を吸収するインソール３。アウトソール１は、少なくとも２つの開口部またはスロット、好ましくは小さく寸法の開口部およびスロットのセットを備え、典型的には、開口部およびスロットの長さは２〜３００ミリメートルであってよく、幅は小石の通過を回避するために最大でも８ミリメートルに制限されなければならない。スロット部は、空気および水を通過させるが、砕片および砂利が開口部につまらないようにすることができる。【選択図】図１
0003160716.tif 000002
【実用新案登録請求の範囲】
【請求項１】
足と地面との間に位置し複数の重ね合わされたソールにより形成される底部構造体と、甲被（９）とを含む履物であって、前記ソールの各々が、穿孔されており、水および空気を通過させるようになっており、さらに洗濯可能な合成材料で製造されており、前記重ね合わされたソールがそれぞれ：
−  衝撃をよく吸収する剛性のゴムおよび／またはポリマーで製造され地面と接触するアウトソール（１）、
−  ミッドソール（２）、
−  好ましくは２つの層で形成され、取り外し可能に成型されかつ衝撃を吸収するインソール（３）であり
前記ミッドソール（２）が、好ましくは、以下の部材のうちの少なくとも１つ、有利にはそれらの組み合わせにより構成されることを特徴とする、履物：
−  前記アウトソール（１）に接着および縫い付けられた格子膜（５）により形成される部材、
−  網目状膜（６）により形成される部材であって、これら２つの部材を組み合わせる場合には、前記格子膜（５）と共に保持されかつ地面に対して格子膜の上方に配置される部材、前記網目状膜（６）が、単独使用される場合には、前記アウトソール（１）に接着および縫い付けられる。
【請求項２】
前記アウトソール（１）が、少なくとも２つの開口部またはスロット、好ましくは小さい寸法の開口部およびスロットのセットを備え、典型的には、前記開口部およびスロットの長さは２〜３００ミリメートルであってよく、幅は小石の通過を回避するために最大でも８ミリメートルに制限されなければならない請求項１に記載の履物。
【請求項３】
前記開口部またはスリットが、前記アウトソール（１）の凹欠部（４）に設けられる請求項２に記載の履物。
【請求項４】
前記アウトソール（１）が、その摩耗領域において、場合によってはカーボンで補強されたゴム製部材によって強化される請求項１に記載の履物。
【請求項５】
前記格子膜（５）と前記網目状膜（６）との間に、衝撃吸収および／または衝撃波の分散を可能にするインサートが挿入される請求項１に記載の履物。
【請求項６】
前記インソール（３）が、以下の２つの層：
−  その下に位置する膜と接触し、ＥＶＡで構成される下層（７）、
−  処理された織物製の上層（８）であって、前記下層（７）に接着および／または縫い付けされる当該部材、
を含む請求項１に記載の履物。
【請求項７】
織物製の前記上層（８）が、細菌およびにおいの発生を低減するために処理される請求項６に記載の履物、前記処理は、前記織物の製造後に実施することもできるし製織前に前記織物繊維それ自体に実施することもできる。
【請求項８】
前記靴の甲被（９）が、洗濯可能な合成材料で製造された穿孔布地で製造される先行請求項のいずれか１項に記載の履物。
【考案の詳細な説明】
【技術分野】
【０００１】
本考案は、通気性ソールを備える履物に関する。
【背景技術】
【０００２】
歩行および直立により足のむくみおよび蒸れが引き起こされ、これが通常、時間と共に顕著な不快感を引き起こす。この不快感を減らすために、靴および適合したソールの使用が何年も絶えず研究されてきた。
【０００３】
問題は蒸れであるがあることがわかっているため、上部面に穿孔を備える靴が次第に増えてきている。しかしながら、このように改造しても、外部に対して完全に遮断されている足底部分からの足の顕著な蒸れを防止することはできない。
【０００４】
靴のソールは、特に地面を歩行することにより引き起こされる衝撃を減衰させるために使用される中敷を保持する必要があるため、完全に防水性の合成材料の複数の層を含むのが一般的である。
【０００５】
これらの衝撃吸収中敷は、例えば、エアクッション、エンベロープ中に保持されたジェルまたは特殊なポリマーである。
【０００６】
今日入手できる大部分の靴には、足の上部を換気するための開口部を有する構造体があるが、足底部分はソールの型内に気密的に閉じ込められるので、どの人にも土踏まずの蒸れの問題が生じる。これには、以下のような関連した不快感を伴う：
−  過剰な熱感覚を伴う足の大きなむくみ、
−  靴内部における湿度の上昇および摩擦の増大、
−  ８０％足底から来る足の発汗の増大、
−  細菌およびにおいの発生を伴うインソールの急速な劣化。
【考案の概要】
【考案が解決しようとする課題】
【０００７】
従って、本考案は、靴上部を介した従来の換気に加え、通常は気密性の靴の内側部材を介した通気を備える履物を提供することにより、これらの主要な問題を解決することを目的とする。
【課題を解決するための手段】
【０００８】
本考案は、足と地面との間に位置し複数の重ね合わされたソールにより形成される底部構造体と、甲被とを含む履物に関し、ソールの各々が、穿孔されており、水および空気を通過させるようになっており、さらに洗濯可能な合成材料で製造されており、前記重ね合わされたソールがそれぞれ：
−  衝撃をよく吸収する剛性のゴムおよび／またはポリマーで製造され地面と接触するアウトソール、
−  ミッドソール、
−  好ましくは２つの層で形成され、取り外し可能に成型されかつ衝撃を吸収するインソールであり
ミッドソールが、好ましくは、以下の部材のうちの少なくとも１つ、有利にはそれらの組み合わせにより構成されることを特徴とする：
−  アウトソールに接着および縫い付けられた格子膜により形成される部材、
−  網目状膜により形成される部材であって、これら２つの部材を組み合わせる場合には、格子膜と共に保持されかつ地面に対して格子膜の上方に配置される部材。前記網目状膜は、単独使用される場合には、アウトソールに接着および縫い付けられる。
【０００９】
履物としては、あらゆるタイプの靴、例えば、スポーツ用、レジャー用、サンダルタイプのアウトドア用、またはスーツと共に着用され得る典型的な靴が含まれなければならない。
【考案の効果】
【００１０】
本考案による履物の利点は、以下のように複数ある：
−  靴の内側部材による換気により、足底の過剰な蒸れが回避され、ソール中の湿度レベルが低く維持される、
−  足底部を乾燥および換気状態に維持することにより、歩行者に高い快適さをもたらす、
−  歩行時に靴を履いている間も、靴が使用されていない場合も同時に湿気を排出することにより、細菌および悪臭の発生が避けられる、
−  靴を構成するすべてのソールが洗濯可能かつ速乾性なので、メンテナンスが容易である、
−  異なる材料および様々な多孔度を有する種々のソールで作られた靴の底部構造体により、空気および湿気を通過させつつ、砕片や土ぼこりが靴に入り込まないようすることが可能になり、これについて特に有効であるのは多層構造体である、
−  靴は、その製造からすでに、ソールと、衝撃を確実に大きく減衰させる材料のセットとを含むようになっており、従って、今日多くの場合、歩行時に踵から脊柱に伝わる衝撃波を確実に十分に減衰させるための追加ソールを歩行者が付けているが、これを付け加える必要がなくなる。
【００１１】
本考案のその他の特徴および利点は、非限定的なとしてのみ示される添付図面に関する以下の説明から明らかになるであろう。
【図面の簡単な説明】
【００１２】
【図１】本考案による履物の断面図である。
【考案を実施するための形態】
【００１３】
以下で説明されるような履物は、下部に、すなわち靴が装着される場合に足と地面との間に位置し、複数好ましくは少なくとも３枚の重ね合わされたソールによって形成される構造体を含む。縫い付けまたは接着された複数の層の組み合わせにより製造される靴の構造体は、それ自体公知である。履物を構成する靴の上部部材、すなわち甲被は、互いに縫い合わせまたは接着された織物部品によって従来の方法で形成され、甲被には、典型的なやり方で紐結びをすることが可能であるように前方面に開口部がある。
【００１４】
そのような靴が、本考案の種々の構成ソールと共に図１に示してある。
【００１５】
本考案によれば、この履物は、ソールの各々が穿孔されておりかつ水および空気を通過させるようになっていること、ならびに各ソールが洗濯可能な合成材料で作られていることを特徴とする。
【００１６】
空気および水は、図１の矢印が示すように、靴の外部と内部との間、および逆方向に、ソールを通って流れることができる。
【００１７】
また、本考案によれば、図１を参照して、ソールは次のように配置される：
−  衝撃をよく吸収する剛性のゴムおよび／またはポリマーで作られ地面と接触するアウトソール１、
−  ミッドソール２、
−  好ましくは２つの層で形成され、取り外し可能に成型されかつ衝撃を吸収するインソール３。
【００１８】
本考案によれば、アウトソール１は、少なくとも２つの開口部またはスロット、好ましくは小さい寸法の開口部およびスロットのセットを備え、典型的には、開口部およびスロットの長さは２〜３００ミリメートルであってよく、幅は小石の通過を回避するために最大でも８ミリメートルに制限されなければならない。
【００１９】
このような小さい寸法とすることにより、空気および水を通過させるが、砕片および砂利が開口部に詰まらないようにすることができる。
【００２０】
好ましくは、開口部またはスリットは、アウトソール１の凹欠部４に設けられる。
【００２１】
アウトソールは、ネオプレンＥＶＡまたはポリウレタン、あるいはこれらの材料の組み合わせのような剛性があり耐摩耗性の材料で製造されるのが有利である。この抵抗性を向上させるように、アウトソールは、摩耗領域において、場合によってはカーボンで強化されたゴム製部材により強化される。このような構成にすれば、ゴム部品のおかげで耐久性が得られつつ、より優れた衝撃吸収が可能になる。
【００２２】
インソール中に含まれる開口部およびスロットの幾何学的形状は、好ましくは、物体または小石がアウトソールを通って入り込むことを防止しつつ、空気および水が最適な方法で通過できるように画定される。スロットの幾何学的形状を選択する際は、そのような靴で必要とされる屈曲運動を容易にしつつ、足の自然な動きに必要とされることを考慮する。幾何学的形状は、不適切な場所に配置されたスロットが多すぎるとアウトソールを脆弱化させることになるので、これを回避するために、ソールの一般的な堅牢性も考慮に入れる。スロットの寸法および形状は、ソールが裂け始めると、使用に伴い次第に悪化し得るため、これを回避するように設計される。
【００２３】
本考案によれば、ミッドソール２は、好ましくは、以下の部材の少なくとも１つ、有利にはそれらの組み合わせにより構成される：
−  アウトソール１に接着および縫い付けられた格子膜５により形成される部材、
−  網目状膜６により形成される部材であって、これら２つの部材を組み合わせる場合には、格子膜５と共に保持されかつ地面に対して格子膜の上方に配置される部材。前記網目状膜６は、単独使用される場合には、アウトソール１に接着および縫い付けられる。
【００２４】
格子膜５は、小石およびその他の外部物体から足を保護しつつ、空気および水の最適な通過を可能にする。
【００２５】
アウトソールへの一方または他方の膜の接着は、膜の穿孔を塞がないようにするために、アウトソールの開口部およびスロットと一致する膜の部分に接着剤が塗布されないように実施される。
【００２６】
網目状膜６は、美的理由および保護の理由から、着用者に快適さをもたらしつつ、格子膜５を覆うことを可能にする。このミッドソールは、必要があれば、ラテックス製部品、またはゲルのほか、より良好な衝撃吸収および／または衝撃波の分散を可能にするあらゆる材料を２つの膜の間に挿入することを可能にし、より一般的には、靴の快適さを最適化することができるインサートを組み入れることも可能にする。
【００２７】
従って、本考案によれば、格子膜５と網目状膜６との間に、衝撃吸収および／または衝撃波の分散を可能にするインサートを挿入することが可能である。
【００２８】
このインサートは、靴の内部と外部との間で種々のソールを介して湿気および熱を通過させるように穿孔を備えるのが有利である。
【００２９】
本考案によれば、足と接触するインソール３は、以下の２つの層を含む：
−  その下に位置する膜と接触し、ＥＶＡで構成される下層７、
−  足がその上に乗る処理された織物製の上層８であって、下層７に接着および／または縫い付けされる当該部材。
【００３０】
本考案によれば、織物製の上層８は、細菌およびにおいの発生を低減するために処理される。処理は、織物の製造後に実施することもできるし製織前に織物繊維それ自体に実施することもできる。この織物部材は、発汗の排出を可能にする。
【００３１】
このインソール３は、快適さおよび衝撃吸収を向上させるように設計され、インソールは、衝撃吸収および／または快適さの特性を向上させるために、必要に応じて、ラテックス製、ゲル製等の接着部材と共に成型され、ＥＶＡで構成されるのが有利である。インソールは当然、完全に穿孔される。
【００３２】
靴の上部、すなわち靴の甲被９は、湿気および熱が通常のやり方で上部から排出されるように、洗濯可能な合成材料で製造された穿孔布地で製造される。
【００３３】
履物の複数の変形例が可能であり、履物は、挙げられた合成材料が好ましいとしても、種々の材料を含むことができ、種々のソールおよび構成層の厚さは、本考案の範囲を逸脱することなく変わり得る。
【００３４】
各ソールにおける穿孔の数および大きさは、広い範囲で選ぶことができ、かつ使用される材料に応じて調節することができ、穿孔の位置、幾何学的形状および大きさは、本考案の範囲を逸脱することなく、複数の形態に従って作ることができる。
【００３５】
靴は当然、本考案の範囲を逸脱することなく、靴の甲被上での紐結びの種々の様式、種々の外装および補強を含むことができる。
【００３６】
種々のソールおよび層は、限定されることなく、当該分野において公知の技術に従い、例えば、接着または縫い付けにより互いに調節され得る。
【００３７】
当然、本考案は、例として説明および例示された実施形態に限定されるものではなく、本考案は、技術的均等物およびそれらの組み合わせを含む。
【図１】
0003160716.tif 000003
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
足と地面との間に位置し複数の重ね合わされたソールにより形成される底部構造体と、甲被（９）とを含む履物であって、前記ソールの各々が、穿孔されており、水および空気を通過させるようになっており、さらに洗濯可能な合成材料で製造されており、前記重ね合わされたソールがそれぞれ：
−  衝撃をよく吸収する剛性のゴムおよび／またはポリマーで製造され地面と接触するアウトソール（１）、
−  ミッドソール（２）、
−  取り外し可能に成型されかつ衝撃を吸収するインソール（３）であり
前記ミッドソール（２）が、以下の部材のうちの少なくとも１つにより構成されることを特徴とする、履物：
−  格子膜（５）により形成される部材、
−  網目状膜（６）により形成される部材。
【請求項２】
前記ミッドソール（２）が、前記アウトソール（１）に接着および縫い付けられる前記格子膜（５）で構成される請求項１に記載の履物。
【請求項３】
前記ミッドソール（２）が、前記アウトソール（１）に接着および縫い付けられる前記網状膜（６）で構成される請求項１に記載の履物。
【請求項４】
前記ミッドソール（２）が、前記格子膜（５）および前記網状膜（６）で構成され、前記格子膜（５）が前記アウトソール（１）に接着および縫い付けられ、前記網状膜（６）が前記格子膜（５）と共に保持されかつ地面に対して格子膜の上方に配置される請求項１に記載の履物。
【請求項５】
前記アウトソール（１）が、少なくとも２つの開口部またはスロット、好ましくは小さい寸法の開口部およびスロットのセットを備え、典型的には、前記開口部およびスロットの長さは２〜３００ミリメートルであってよく、幅は小石の通過を回避するために最大でも８ミリメートルに制限されなければならない先行請求項のいずれか１項に記載の履物。
【請求項６】
前記開口部またはスリットが、前記アウトソール（１）の凹欠部（４）に設けられる請求項５に記載の履物。
【請求項７】
前記アウトソール（１）が、摩耗領域において、場合によってはカーボンで補強されたゴム製部材によって強化される請求項１、２、３または４に記載の履物。
【請求項８】
前記格子膜（５）と前記網目状膜（６）との間に、衝撃吸収および／または衝撃波の分散を可能にするインサートが挿入される請求項４に記載の履物。
【請求項９】
前記インソール（３）が、２つの層で形成される請求項１、２、３または４に記載の履物。
【請求項１０】
前記インソール（３）が、以下の２つの層：
−  その下に位置する膜と接触し、ＥＶＡで構成される下層（７）、
−  処理された織物製の上層（８）であって、前記下層（７）に接着および／または縫い付けされる当該部材、
を含む請求項９に記載の履物。
【請求項１１】
織物製の前記上層（８）が、細菌およびにおいの発生を低減するために処理され、前記処理は、前記織物の製造後に実施することもできるし製織前に前記織物繊維それ自体に実施することができる請求項１０に記載の履物。
【請求項１２】
前記靴の前記甲被（９）が、洗濯可能な合成材料で製造された穿孔布地で製造される先行請求項のいずれか１項に記載の履物。
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
足と地面との間に位置し複数の重ね合わされたソールにより形成される底部構造体と、甲被（９）とを含む履物であって、前記ソールの各々が、穿孔されており、水および空気を通過させるようになっており、さらに洗濯可能な合成材料で製造されており、前記重ね合わされたソールがそれぞれ：
−  衝撃をよく吸収する剛性のゴムおよび／またはポリマーで製造され地面と接触するアウトソール（１）、
−  ミッドソール（２）、
−  取り外し可能に成型されかつ衝撃を吸収するインソール（３）であり
前記ミッドソール（２）が、以下の部材のうちの少なくとも１つにより構成されることを特徴とする、履物：
−  格子膜（５）により形成される部材、
−  網目状膜（６）により形成される部材。
【請求項２】
前記ミッドソール（２）が、前記アウトソール（１）に接着および縫い付けられる前記格子膜（５）で構成される請求項１に記載の履物。
【請求項３】
前記ミッドソール（２）が、前記アウトソール（１）に接着および縫い付けられる前記網目状膜（６）で構成される請求項１に記載の履物。
【請求項４】
前記ミッドソール（２）が、前記格子膜（５）および前記網目状膜（６）で構成され、前記格子膜（５）が前記アウトソール（１）に接着および縫い付けられ、前記網目状膜（６）が前記格子膜（５）と共に保持されかつ地面に対して格子膜の上方に配置される請求項１に記載の履物。
【請求項５】
前記アウトソール（１）が、少なくとも２つの開口部またはスロット、好ましくは小さい寸法の開口部およびスロットのセットを備え、典型的には、前記開口部およびスロットの長さは２〜３００ミリメートルであってよく、幅は小石の通過を回避するために最大でも８ミリメートルに制限されなければならない請求項１乃至４のいずれか１項に記載の履物。
【請求項６】
前記開口部またはスロットが、前記アウトソール（１）の凹欠部（４）に設けられる請求項５に記載の履物。
【請求項７】
前記アウトソール（１）が、摩耗領域において、場合によってはカーボンで補強されたゴム製部材によって強化される請求項１乃至４のいずれか１項に記載の履物。
【請求項８】
前記格子膜（５）と前記網目状膜（６）との間に、衝撃吸収および／または衝撃波の分散を可能にするインサートが挿入される請求項４に記載の履物。
【請求項９】
前記インソール（３）が、２つの層で形成される請求項１乃至４のいずれか１項に記載の履物。
【請求項１０】
前記インソール（３）が、以下の２つの層：
−  その下に位置する膜と接触し、ＥＶＡで構成される下層（７）、
−  処理された織物製の上層（８）であって、前記下層（７）に接着および／または縫い付けされる当該部材、
を含む請求項９に記載の履物。
【請求項１１】
織物製の前記上層（８）が、細菌およびにおいの発生を低減するために処理され、前記処理は、前記織物の製造後に実施することもできるし製織前に前記織物繊維それ自体に実施することができる請求項１０に記載の履物。
【請求項１２】
前記靴の前記甲被（９）が、洗濯可能な合成材料で製造された穿孔布地で製造される請求項１乃至１１のいずれか１項に記載の履物。